(57)【要約】【課題】内部に収容されたインキの色を、試し書き無しに容易に識別することが可能となるとともに、ペン先近傍にカラフルさを加え、若者の好みに合う外観性を得ることができ、しかも、ペン先支持部の外面にインキが滲み出たとしても、見栄えが損なわれず、さらに、インキタンクが交換可能な場合、インキタンク交換前のインキ色と交換後のインキ色とを誤るおそれがない筆記具を提供する。【解決手段】筆記具１は、金属板製の先細状のペン先２と、先細状のペン先支持部６３とを備える。ペン先２表面が外部に露出される。ペン先支持部６３は、前記ペン先２の裏面に配置され且つペン先２を支持する。ペン先２の裏面とペン先支持部６３との間に、軸筒３内部に収容されたインキをペン先２に供給するインキ誘導部を設ける。ペン先支持部６３の外面を、軸筒３内部に収容されたインキの色と同一または略同一の色に着色する。【選択図】  図１
2006248114.tif 000002
【特許請求の範囲】
【請求項１】
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部の外面を、軸筒内部に収容されたインキの色と同一または略同一の色に着色し、前記ペン先支持部の外面を外部より視認可能にしたことを特徴とする筆記具。
【請求項２】
ペン先を側面視したときのペン先支持部の露出面積をペン先の側面の露出面積よりも大きく設定してなる請求項１記載の筆記具。
【請求項３】
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先の表面に、軸筒内部に収容されたインキの色と同一または略同一の色に着色されたインキ色表示部を設け、前記インキ色表示部を外部より視認可能にしたことを特徴とする筆記具。
【請求項４】
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部を透明材料により構成し、前記インキ誘導部を外部より視認可能にしたことを特徴とする筆記具。
【請求項５】
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部の内面を、軸筒内部に収容されたインキの色と同一または略同一の色に着色し、前記ペン先に窓孔を貫設し、前記窓孔を通して前記ペン先支持部またはインキ誘導部を外部より視認可能にしたことを特徴とする筆記具。
【請求項６】
前記インキ誘導部が繊維加工体よりなる請求項１乃至５のいずれかに記載の筆記具。
【請求項７】
内部にインキを直接収容するインキタンクが交換可能に構成される請求項１乃至６のいずれかに記載の筆記具。
【発明の詳細な説明】
【技術分野】
【０００１】
本発明は、筆記具に関する。詳細には、金属板製の先細状のペン先を備えた筆記具に関する。
【背景技術】
【０００２】
従来、金属板製の先細状のペン先（いわゆる万年筆状ペン先）を備えた筆記具が知られている。（例えば、特許文献１）
【０００３】
従来のこの種の筆記具は、通常、ペン先裏面に配置される先細状のペン先支持部が、内部に収容されたインキとは異なる色（例えばグレー色）に着色されている。そのため、内部に収容されたインキの色を、試し書き無しに識別することは困難である。
【０００４】
また、従来、この種の筆記具は、ペン先裏面とペン先支持部との間に、ペン先にインキを供給するためのインキ誘導部が設けられている。前記インキ誘導部は、常にインキで満たされているため、筆記時のペン先の弾性変形によりインキ誘導部内のインキが外部に押し出され、ペン先支持部の外面にインキが滲み出るおそれがある。前記ペン先支持部の外面にインキが滲み出ると、ペン先支持部がインキで汚れたように見え、見栄えが著しく損なわれる。特に、インキ誘導部が繊維加工体よりなる場合、筆記時のペン先の弾性変形により、繊維加工体が圧縮され、インキ誘導部から外部にインキが押し出され、ペン先支持部の外面にインキが滲み出やすくなる。また、前記ペン先支持部が櫛歯状のインキ保溜部と一体に形成され、前記インキ保溜部に親水処理が施される場合、前記親水処理が前記ペン先支持部表面にも施されやすい。その場合も、ペン先支持部の外面にインキが滲み出やすくなる。
【０００５】
さらに、従来、この種の筆記具は、内部に収容されたインキの色を容易に識別できないことにより、インキタンクが交換可能なカートリッジ式の場合、多種類のインキ色のインキタンクが提供されると、ユーザーがインキタンクを交換する際、交換前に使用していたインキ色と異なるインキ色を備えたインキタンクを誤って取り付ける可能性がある。もし、誤って、交換前に使用していたインキ色と異なるインキ色を備えたインキタンクを取り付けてしまうと、インキ誘導部内に残留していた交換前のインキと交換後のインキが混色し、適正なインキ色の筆跡が得られないおそれがある。また、インキ誘導部が繊維加工体よりなる場合、インキ誘導部に多量のインキが残留しやすく、前記インキタンク交換の際にインキ色を誤ると、甚だしいインキの混色が発生してしまうおそれがある。
【０００６】
また、前記従来、この種の筆記具は、ペン先近傍のカラフルさに乏しく、最近の若者の好みを満足させるものではない。
【０００７】
【特許文献１】実公平６−２５３５３号公報
【発明の開示】
【発明が解決しようとする課題】
【０００８】
本発明は、前記従来の問題点を解決するものであって、金属板製の先細状のペン先を備えた筆記具に関し、内部に収容されたインキの色を、試し書き無しに容易に識別することが可能となるとともに、ペン先近傍にカラフルさを加え、若者の好みに合う外観性を得ることができ、しかも、ペン先支持部にインキが滲み出たとしても、見栄えが損なわれず、さらに、インキタンクがカートリッジ式の場合、インキタンク交換前のインキ色とインキタンク交換後のインキ色とを誤るおそれがない筆記具を提供しようとするものである。尚、本発明において、「前」とはペン先側を指し、一方、「後」とはその反対側を指す。また、本発明において、ペン先の表面とは筆記時にペン先が露出する側を指し、一方、ペン先の裏面とは筆記時に紙面に向く側を指す。
【課題を解決するための手段】
【０００９】
本発明は、以下の要件を特徴とする。
【００１０】
（請求項１）
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部の外面を、軸筒内部に収容されたインキの色と同一または略同一の色に着色し、前記ペン先支持部の外面を外部より視認可能にしたことを特徴とする筆記具。
【００１１】
（請求項２）
ペン先を側面視したときのペン先支持部の露出面積をペン先の側面の露出面積よりも大きく設定してなる請求項１記載の筆記具。
【００１２】
（請求項３）
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先の表面に、軸筒内部に収容されたインキの色と同一または略同一の色に着色されたインキ色表示部を設け、前記インキ色表示部を外部より視認可能にしたことを特徴とする筆記具。
【００１３】
（請求項４）
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部を透明材料により構成し、前記インキ誘導部を外部より視認可能にしたことを特徴とする筆記具。
【００１４】
（請求項５）
表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部の内面を、軸筒内部に収容されたインキの色と同一または略同一の色に着色し、前記ペン先に窓孔を貫設し、前記窓孔を通して前記ペン先支持部またはインキ誘導部を外部より視認可能にしたことを特徴とする筆記具。
【００１５】
（請求項６）
前記インキ誘導部が繊維加工体よりなる請求項１乃至５のいずれかに記載の筆記具。
【００１６】
（請求項７）
内部にインキを直接収容するインキタンクが交換可能に構成される請求項１乃至６のいずれかに記載の筆記具。
【発明の効果】
【００１７】
請求項１の筆記具により、軸筒内部に収容されたインキの色を、試し書きすること無しに、容易に識別することができる。また、ペン先支持部の外面にインキが滲み出たとしても、滲み出たインキが目立たず、見栄えを損ねることがない。さらに、ペン先近傍をカラフルなものにし、最近の若者の好みに合った外観性を得ることができる。
【００１８】
請求項２の筆記具により、軸筒内部に収容されたインキの色を容易に識別できる。
【００１９】
請求項３の筆記具により、軸筒内部に収容されたインキの色を、試し書きすること無しに、容易に識別することができる。また、ペン先表面のインキ色表示部にインキが滲み出たとしても、滲み出たインキが目立たず、見栄えを損ねることがない。さらに、ペン先近傍をカラフルなものにし、最近の若者の好みに合った外観性を得ることができる。
【００２０】
請求項４の筆記具により、軸筒内部に収容されたインキの色を、試し書きすること無しに、容易に識別することができる。また、ペン先支持部の外面にインキが滲み出たとしても、ペン先支持部が実質的に軸筒内部に収容されたインキの色と同一または略同一の色に着色されて視覚されるため、滲み出たインキが目立たず、見栄えを損ねることがない。さらに、透明性のペン先支持部と、インキ色に着色されたインキ誘導部とによって、ペン先近傍をカラフル且つクリスタル調にし、最近の若者の好みに合った外観性を得ることができる。
【００２１】
請求項５の筆記具により、軸筒内部に収容されたインキの色を、試し書きすること無しに、容易に識別することができる。また、ペン先支持部の内面にインキが滲み出たとしても、滲み出たインキが目立たず、見栄えを損ねることがない。さらに、ペン先近傍をカラフルなものにし、最近の若者の好みに合った外観性を得ることができる。
【００２２】
請求項６の筆記具により、インキ誘導部が繊維加工体よりなるため、インキの滲み出しが生じやすいが、滲み出たインキが目立たず、優れた外観性が維持される。
【００２３】
請求項７の筆記具により、交換前と同一の色のインキを備えたインキタンクを適正に取り付けることができ、交換前のインキ誘導部内に残留されたインキと交換後のインキが異色の場合に生じる混色がなく、適正なインキ色の筆跡が得られる。
【発明を実施するための最良の形態】
【００２４】
本発明を実施するための最良の形態を説明する。
【００２５】
〔１〕本発明筆記具１の第1の実施の形態は、表面を外部に露出させた金属板製の先細状のペン先２と、前記ペン先２の裏面に配置され且つ前記ペン先２を支持する先細状のペン先支持部６３とを備え、前記ペン先２と前記ペン先支持部６３とを軸筒３の前端より前方に突出させ、前記ペン先２の裏面と前記ペン先支持部６３との間に、軸筒３内部に収容されたインキをペン先２に供給するインキ誘導部７を設けた筆記具であって、前記ペン先支持部６３の外面を、軸筒３内部に収容されたインキの色と同一または略同一の色に着色し、前記ペン先支持部６３の外面を外部より視認可能にしたこと（請求項１）を要件とする
【００２６】
前記筆記具１（請求項１）は、ペン先支持部６３の外面を外部より視認することにより、軸筒３内部に収容されたインキの色を、試し書きすること無しに、容易に識別することができる。また、前記筆記具１（請求項１）は、ペン先支持部６３の外面にインキが滲み出たとしても、ペン先支持部６３の外面が軸筒３内部に収容されたインキの色と同一または略同一の色に着色されているため、滲み出たインキが目立たず、見栄えを損ねることがない。さらに、前記筆記具１（請求項１）は、ペン先支持部６３の外面を着色したことによって、ペン先２近傍をカラフルなものにし、最近の若者の好みに合った外観性を得ることができる。
【００２７】
〔２〕前記筆記具１（請求項１）において、ペン先２を側面視したときのペン先支持部６３の露出面積をペン先２の側面の露出面積よりも大きく設定してなること（請求項２）が好ましい。
【００２８】
前記筆記具１（請求項１）は、ペン先支持部６３を側面から見た場合でも、着色されたペン先支持部６３が十分に露出されているため、軸筒３内部に収容されたインキの色を容易に識別できる。もし、ペン先２を側面視したときのペン先支持部６３の露出面積をペン先２の側面の露出面積よりも小さく設定した場合、着色されたペン先支持部６３が外部に十分に露出されていないため、軸筒３内部に収容されたインキの色を識別することが困難となる。
【００２９】
〔３〕本発明筆記具１の第２の実施の形態は、表面を外部に露出させた金属板製の先細状のペン先２と、前記ペン先２の裏面に配置され且つ前記ペン先２を支持する先細状のペン先支持部６３とを備え、前記ペン先２と前記ペン先支持部６３とを軸筒３の前端より前方に突出させ、前記ペン先２の裏面と前記ペン先支持部６３との間に、軸筒３内部に収容されたインキをペン先２に供給するインキ誘導部７を設けた筆記具であって、前記ペン先２の表面に、軸筒３内部に収容されたインキの色と同一または略同一の色に着色されたインキ色表示部６４を設け、前記インキ色表示部６４を外部より視認可能にしたこと（請求項３）を要件とする。
【００３０】
前記筆記具１（請求項３）は、ペン先２表面に設けたインキ色表示部６４を外部より視認することにより、軸筒３内部に収容されたインキの色を、試し書きすること無しに、容易に識別することができる。また、前記筆記具１（請求項３）は、ペン先２表面のインキ色表示部６４にインキが滲み出たとしても、インキ色表示部６４が軸筒３内部に収容されたインキの色と同一または略同一の色に着色されているため、滲み出たインキが目立たず、見栄えを損ねることがない。さらに、前記筆記具１（請求項３）は、インキ色に着色されたインキ色表示部６４によって、ペン先２近傍をカラフルなものにし、最近の若者の好みに合った外観性を得ることができる。尚、前記筆記具（請求項３）は、請求項１と組み合わせた構成（図３及び図４参照）でもよい。
【００３１】
〔４〕本発明筆記具１の第３の実施の形態は、表面を外部に露出させた金属板製の先細状のペン先２と、前記ペン先２の裏面に配置され且つ前記ペン先２を支持する先細状のペン先支持部６３とを備え、前記ペン先２と前記ペン先支持部６３とを軸筒３の前端より前方に突出させ、前記ペン先２の裏面と前記ペン先支持部６３との間に、軸筒３内部に収容されたインキをペン先２に供給するインキ誘導部７を設けた筆記具１であって、前記ペン先支持部６３を透明材料により構成し、前記インキ誘導部７を外部より視認可能にしたこと（請求項４）を要件とする。
【００３２】
前記筆記具１（請求項４）は、インキ誘導部７がその内部に保持したインキにより着色されているため、ペン先支持部６３を透視してインキ誘導部７を外部より視認することにより、軸筒３内部に収容されたインキの色を、試し書きすること無しに、容易に識別することができる。また、前記筆記具１（請求項４）は、ペン先支持部６３の外面にインキが滲み出たとしても、ペン先支持部６３が実質的に軸筒３内部に収容されたインキの色と同一または略同一の色に着色されて視覚されるため、滲み出たインキが目立たず、見栄えを損ねることがない。また、前記筆記具１（請求項４）は、透明性のペン先支持部６３と、インキ色に着色されたインキ誘導部７とによって、ペン先２近傍をカラフル且つクリスタル調にし、最近の若者の好みに合った外観性を得ることができる。
【００３３】
〔５〕本発明筆記具１の第４の実施の形態は、表面を外部に露出させた金属板製の先細状のペン先と、前記ペン先の裏面に配置され且つ前記ペン先を支持する先細状のペン先支持部とを備え、前記ペン先と前記ペン先支持部とを軸筒の前端より前方に突出させ、前記ペン先の裏面と前記ペン先支持部との間に、軸筒内部に収容されたインキをペン先に供給するインキ誘導部を設けた筆記具であって、前記ペン先支持部の内面を、軸筒内部に収容されたインキの色と同一または略同一の色に着色し、前記ペン先に窓孔２２を貫設し、前記窓孔２２を通して前記ペン先支持部またはインキ誘導部を外部より視認可能にしたこと（請求項５）を要件とする。
【００３４】
前記筆記具１（請求項５）は、窓孔２２を通してペン先支持部またはインキ誘導部７を外部より視認することにより、軸筒３内部に収容されたインキの色を、試し書きすること無しに、容易に識別することができる。また、前記筆記具１（請求項５）は、ペン先支持部６３の内面にインキが滲み出たとしても、ペン先支持部の内面が軸筒３内部に収容されたインキの色と同一または略同一の色に着色されて視覚されるため、滲み出たインキが目立たず、見栄えを損ねることがない。また、前記筆記具１（請求項５）は、窓孔２２を通してインキ色に着色されたペン先支持部６３と、インキ色に着色されたインキ誘導部７とを視認可能にすることによって、ペン先２近傍をカラフルにし、最近の若者の好みに合った外観性を得ることができる。尚、前記筆記具（請求項５）は、請求項１または請求項２と組み合わせた構成（図７及び図８参照）でもよい。
【００３５】
〔６〕前記筆記具１（請求項１、２、３、４または５）において、前記インキ誘導部７は、軸方向に延びるスリットであってもよいが、繊維加工体よりなること（請求項６）が好ましい。
【００３６】
前記筆記具１（請求項６）は、インキ誘導部７が繊維加工体よりなるため、ペン先支持部６３外面にインキの滲み出しが生じやすいが、請求項１または２の構成（ペン先支持部６３外面を軸筒３内部に収容されたインキの色と同一または略同一の色に着色した構成）と相まって、ペン先支持部６３外面に滲み出たインキが目立たず、優れた外観性が維持される。
【００３７】
前記筆記具１（請求項６）は、インキ誘導部７が繊維加工体よりなるため、インキ色表示部６４にインキの滲み出しが生じやすいが、請求項３の構成（インキ色表示部６４を軸筒３内部に収容されたインキの色と同一または略同一の色に着色した構成）と相まって、インキ色表示部６４に滲み出たインキが目立たず、優れた外観性が維持される。
【００３８】
前記筆記具１（請求項６）は、インキ誘導部７が繊維加工体よりなるため、ペン先支持部６３外面にインキの滲み出しが生じやすいが、請求項４の構成（ペン先支持部６３を透明材料により構成し、前記インキ誘導部７を外部より視認可能にした構成）と相まって、ペン先支持部６３に滲み出たインキが目立たず、優れた外観性が維持される。
【００３９】
前記筆記具１（請求項６）は、インキ誘導部７が繊維加工体よりなるため、ペン先支持部６３内面にインキの滲み出しが生じやすいが、請求項５の構成（ペン先支持部６３の内面を、軸筒３内部に収容されたインキの色と同一または略同一の色に着色した構成）と相まって、ペン先支持部６３内面に滲み出たインキが目立たず、優れた外観性が維持される。
【００４０】
〔７〕前記筆記具１（請求項１、２、３、４、５または６）において、内部にインキを直接収容するインキタンク８が交換可能に構成されること（請求項７）が好ましい。
【００４１】
前記筆記具１（請求項７）は、ペン先支持部６３の外面を、軸筒３内部に収容されたインキの色と同一または略同一の色に着色し、前記ペン先支持部６３の外面を外部より視認可能に構成してなること（請求項１または２）と相まって、交換前のインキ色を、着色されたペン先支持部６３により識別できるため、交換前と同一の色のインキを備えたインキタンク８を適正に取り付けることができ、交換前のインキ誘導部７内に残留されたインキと交換後のインキが異色の場合に発生する混色がなく、適正なインキ色の筆跡が得られる。
【００４２】
前記筆記具１（請求項７）は、ペン先２の表面に、軸筒３内部に収容されたインキの色と同一または略同一の色に着色されたインキ色表示部６４を設け、前記インキ色表示部６４を外部より視認可能にしたこと（請求項３）と相まって、交換前のインキ色を、着色されたインキ色表示部６４により識別できるため、交換前と同一の色のインキを備えたインキタンク８を適正に取り付けることができ、交換前のインキ誘導部７内に残留されたインキと交換後のインキが異色の場合に発生する混色がなく、適正なインキ色の筆跡が得られる。
【００４３】
前記筆記具１（請求項７）は、前記ペン先支持部６３を透明材料により構成し、前記インキ誘導部７を外部より視認可能にしたこと（請求項４）と相まって、ペン先支持部６３を透視してインキ誘導部７を外部より視認することにより、交換前のインキ色を識別できるため、交換前と同一の色のインキを備えたインキタンク８を適正に取り付けることができ、交換前のインキ誘導部７内に残留されたインキと交換後のインキが異色の場合に発生する混色がなく、適正なインキ色の筆跡が得られる。
【００４４】
前記筆記具１（請求項７）は、ペン先支持部の内面を、軸筒内部に収容されたインキの色と同一または略同一の色に着色し、ペン先に窓孔２２を貫設し、前記窓孔２２を通して前記ペン先支持部６３またはインキ誘導部７を外部より視認可能にしたこと（請求項５）と相まって、交換前のインキ色を窓孔２２を通して識別できるため、交換前と同一の色のインキを備えたインキタンク８を適正に取り付けることができ、交換前のインキ誘導部７内に残留されたインキと交換後のインキが異色の場合に発生する混色がなく、適正なインキ色の筆跡が得られる。
【００４５】
前記筆記具１（請求項７）は、インキ誘導部７が繊維加工体よりなる（請求項６）場合、インキ誘導部７に多量のインキが残留しがちである。しかし、請求項１、２、３または４の構成により交換前のインキ色を容易に識別できることから、インキタンク８の交換時、インキ色を間違えることがないため、甚だしい混色の発生を防ぐことができる。
【実施例】
【００４６】
（第1実施例）
図1に本発明の筆記具１の第1実施例のペン先２側を示す。
【００４７】
軸筒３の前端部には、先細状（くちばし状）の金属板製のペン先２（いわゆる万年筆ペン体）と、前記ペン先２の先細状の形状に沿って先細状（くちばし状）の合成樹脂製のペン先支持部６３とが前方に突出されている。前記ペン先２は、ステンレス鋼製板のプレス加工体よりなり、その先端には軸方向に延びる切り割り２１が形成される。前記ペン先２の表面は外部に露出されている。
【００４８】
また、前記ペン先２の裏面には、ペン先支持部６３が設けられ、該ペン先支持部６３により、ペン先２裏面の大部分が被覆される［図１（ｂ）参照］。また、ペン先支持部６３の基部外面は、前記ペン先２の後部により抱持される。前記切り割り２１を備えたペン先２の前部は、筆記時の筆圧によりペン先支持部６３から離隔する方向に弾性変形可能である。前記ペン先支持部６３は、インキ色と同一または略同一の色に着色された合成樹脂成形体よりなる。前記ペン先支持部６３の外面は、外部より視認可能である。ペン先２を側面から見たとき［図１（ｃ）参照］、ペン先支持部６３の露出面積は、ペン先２の露出面積よりも大きく設定される。
【００４９】
（全体）
図２に本実施例の筆記具１の全体を示す。
本実施例の筆記具１は、主に、前軸４と後軸５とからなる軸筒３と、前記前軸４内に収容され、前端にペン先２を備えたインキ保溜部材６と、前記後軸５内に収容されるインキタンク８とからなる。
【００５０】
前記前軸４は、円筒状の大径筒部４１と、該大径筒部４１の底壁から後方に一体に連設される円筒状の小径筒部４２と、前記大径筒部４１の底壁より後方に一体に連設され且つ前記小径筒部４２の外周を同心状に包囲するよう配置された円筒状の接続筒部４３と、前記小径筒部４２の後端部に一体に形成されたインキタンク８開栓用の突片４２ａとからなる。前記前軸４は、合成樹脂（例えば、ポリプロピレン）の射出成形により得られる。また、前記接続筒部４３の外面には、雄ネジ部が形成される。
【００５１】
前記後軸５は、前端が開口され且つ後端が閉鎖された有底筒体であり、合成樹脂(例えば、ポリカーボネイト)の射出成形により得られる。前記後軸５の前端開口部の内面には、雌ネジ部が形成される。前記雌ネジ部は、前記前軸４の接続筒部４３の外面の雄ネジ部と螺合可能であり、それにより、前記後軸５の前端部は前軸４の後端部と着脱自在に螺着される。
【００５２】
前記インキ保溜部材６は、インキタンク８内の圧力上昇に応じた余剰インキを一時的に保持する部材である。前記インキ保溜部材６は、複数の櫛歯よりなるインキ保溜部６１(櫛溝部)と、該インキ保溜部６１の後端（即ち後端櫛歯６７後端面）より後方に突出され且つ該インキ保溜部６１の外径より小さい外径を有する縮径筒部６２と、前記インキ保溜部６１の前端より前方に突出されたペン先支持部６３とが、一体に形成された合成樹脂（例えば、ＡＢＳ樹脂）の射出成形体よりなる。また、前記インキ保溜部材６の軸心には、軸方向に延び且つ後端が後方に開口された軸心孔６５が設けられる。前記軸心孔６５にはインキ誘導芯７が挿着される。前記ペン先支持部６３には、金属板製の先細状のペン先２が取り付けられる。
【００５３】
前記インキ保溜部材６は前軸４内に挿着される。即ち、前記インキ保溜部材６のインキ保溜部６１は、前軸４の大径筒部４１内に挿入配置され、前記インキ保溜部材６の縮径筒部６２は、前軸４の小径筒部４２内に挿入配置される。このとき、ペン先２及びペン先支持部６３が前軸４の前端より前方に突出される。また、前記前軸４の前端（即ちインキ保溜部６１の前端）には空気孔６６が開口される。前記空気孔６６によりインキ保溜部６１と外気とが連通される。
【００５４】
前記インキ保溜部６１には、軸方向に延び且つ径方向外方に開口する第１のスリット６１ａが形成される。前記第１のスリット６１ａにより、インキ保溜部６１の櫛歯間が連通される。前記縮径筒部６２の外面には、軸方向に延び且つ径方向外方に開口する第２のスリット６２ａが形成される。前記第２のスリット６２ａは、前端が第１のスリット６１ａと接続され、後端が軸方向後方（即ちインキタンク８内）に開口される。前記第１のスリット６１ａと前記第２のスリット６２ａとが、同一軸線上に形成されている。
【００５５】
前記インキ保溜部材６の表面には、親水処理が施され、それにより、インキ保溜部６１の濡れ性が改質される。前記親水処理は、ペン先支持部６３の表面にも施されている。前記親水処理は、例えば、インキ保溜部６１の表面に界面活性剤や親水性物質の薄い皮膜を形成する構成、インキ保溜部材６の表面にエッチング処理や析出物等で凹凸面を形成する構成、あるいは放射線照射やプラズマ処理等が挙げられる。
【００５６】
前記軸心孔６５には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されている。前記インキ誘導芯７の前端は、ペン先２に接続され、前記インキ誘導芯７の後端は、インキタンク８内と接続される。前記インキ誘導芯７の前端部は、ペン先支持部６３の内面によって、径方向外方に折り曲げられる。前記インキ誘導芯７の前端は、ペン先２の裏面の切り割り２１に、圧接状態で接続されている。
【００５７】
インキタンク８内部には、インキが直に貯溜される。前記インキタンク８は交換可能に構成され、前記インキタンク８内のインキが無くなった場合、新たなインキタンク８と交換される。前記インキタンク８は、前端が開口され且つ後端が閉鎖された有底筒体よりなり、合成樹脂（例えばポリプロピレン）の射出成形により得られる。前記インキタンク８の前端開口部には栓体８１が固着され、それにより、インキタンク８内は密封状態となる。前記密封状態のインキタンク８の前端に前記小径筒部４２を挿入すると、小径筒部４２の後端に形成された突片４２ａにより栓体８１が後方に押圧され、栓体８１がインキタンク８内に外され、インキタンク８が開栓され、インキタンク８内部と、インキ保溜部６１及びインキ誘導芯７とが接続状態となる。このとき、小径筒部４２の外面とインキタンク８の開口部内面とは密嵌状態にある。
【００５８】
本実施例では、前記インキ保溜部材６は、インキタンク８内のインキの色と同一または略同一の色に着色された合成樹脂の成形体からなるため、前記ペン先支持部６３の外面は、インキタンク８内のインキの色と同一または略同一の色に着色されている。それにより、本実施例の筆記具１は、ペン先支持部６３の外面を外部より視認することにより、軸筒３内部に収容されたインキの色を、試し書きすること無しに、容易に識別することができる。また、本実施例の筆記具１は、ペン先支持部６３の外面にインキが滲み出たとしても、滲み出たインキが目立たず、見栄えを損ねることがない。さらに、本実施例の筆記具１は、ペン先２近傍をカラフルなものにし、最近の若者の好みに合った外観性を得ることができる。
【００５９】
（第２実施例）
図３に本発明の筆記具１の第２実施例のペン先２側を示す。
【００６０】
軸筒３の前端部には、先細状（くちばし状）の金属板製のペン先２（いわゆる万年筆ペン体）と、前記ペン先２の先細状の形状に沿って先細状（くちばし状）の合成樹脂製のペン先支持部６３とが前方に突出されている。前記ペン先２は、ステンレス鋼製板のプレス加工体よりなり、その先端には軸方向に延びる切り割り２１が形成される。
【００６１】
また、前記ペン先２の裏面には、ペン先支持部６３が設けられ、該ペン先支持部６３により、ペン先２裏面の大部分が被覆される［図１（ｂ）参照］。また、ペン先支持部６３の基部外面は、前記ペン先２の後部により抱持される。前記切り割り２１を備えたペン先２の前部は、筆記時の筆圧によりペン先支持部６３から離隔する方向に弾性変形可能である。前記ペン先支持部６３は、インキ色と同一または略同一の色に着色された合成樹脂成形体よりなる。前記ペン先支持部６３の外面は、外部より視認可能である。ペン先２を側面から見たとき［図１（ｃ）参照］、ペン先支持部６３の露出面積は、ペン先２の露出面積よりも大きく設定される。
【００６２】
前記ペン先２の後部表面には、インキ色表示部６４が設けられ、前記ペン先２の前部表面は外部に露出されている［図１（ａ）参照］。前記インキ色表示部６４は、インキ色と同一または略同一の色に着色された合成樹脂成形体よりなる。前記インキ色表示部６４は、外部より視認可能である。前記インキ色表示部６４は、これ以外にも、ペン先２表面に塗装、印刷、シール貼付により形成してもよい。
【００６３】
（全体）
図４に本実施例の筆記具１の全体を示す。
本実施例の筆記具１は、主に、前軸４と後軸５とからなる軸筒３と、前記前軸４内に収容され、前端にペン先２を備えたインキ保溜部材６と、前記後軸５内に収容されるインキタンク８とからなる。
【００６４】
前記前軸４は、円筒状の大径筒部４１と、該大径筒部４１の底壁から後方に一体に連設される円筒状の小径筒部４２と、前記大径筒部４１の底壁より後方に一体に連設され且つ前記小径筒部４２の外周を同心状に包囲するよう配置された円筒状の接続筒部４３と、前記小径筒部４２の後端部に一体に形成されたインキタンク８開栓用の突片４２ａとからなる。前記前軸４は、合成樹脂（例えば、ポリプロピレン）の射出成形により得られる。また、前記接続筒部４３の外面には、雄ネジ部が形成される。
【００６５】
前記後軸５は、前端が開口され且つ後端が閉鎖された有底筒体であり、合成樹脂(例えば、ポリカーボネイト)の射出成形により得られる。前記後軸５の前端開口部の内面には、雌ネジ部が形成される。前記雌ネジ部は、前記前軸４の接続筒部４３の外面の雄ネジ部と螺合可能であり、それにより、前記後軸５の前端部は前軸４の後端部と着脱自在に螺着される。
【００６６】
前記インキ保溜部材６は、インキタンク８内の圧力上昇に応じた余剰インキを一時的に保持する部材である。前記インキ保溜部材６は、複数の櫛歯よりなるインキ保溜部６１(櫛溝部)と、該インキ保溜部６１の後端（即ち後端櫛歯６７後端面）より後方に突出され且つ該インキ保溜部６１の外径より小さい外径を有する縮径筒部６２と、前記インキ保溜部６１の前端より前方に突出されたペン先支持部６３及びインキ色表示部６４とが、一体に形成された合成樹脂（例えば、ＡＢＳ樹脂）の射出成形体よりなる。また、前記インキ保溜部材６の軸心には、軸方向に延び且つ後端が後方に開口された軸心孔６５が設けられる。前記軸心孔６５にはインキ誘導芯７が挿着される。前記ペン先支持部６３には、金属板製の先細状ペン先２が取り付けられる。
【００６７】
前記インキ保溜部材６は前軸４内に挿着される。即ち、前記インキ保溜部材６のインキ保溜部６１は、前軸４の大径筒部４１内に挿入配置され、前記インキ保溜部材６の縮径筒部６２は、前軸４の小径筒部４２内に挿入配置される。このとき、ペン先２及びペン先支持部６３が前軸４の前端より前方に突出される。また、前記前軸４の前端（即ちインキ保溜部６１の前端）には空気孔６６が開口される。前記空気孔６６によりインキ保溜部６１と外気とが連通される。
【００６８】
前記インキ保溜部６１には、軸方向に延び且つ径方向外方に開口する第１のスリット６１ａが形成される。前記第１のスリット６１ａにより、インキ保溜部６１の櫛歯間が連通される。前記縮径筒部６２の外面には、軸方向に延び且つ径方向外方に開口する第２のスリット６２ａが形成される。前記第２のスリット６２ａは、前端が第１のスリット６１ａと接続され、後端が軸方向後方（即ちインキタンク８内）に開口される。前記第１のスリット６１ａと前記第２のスリット６２ａとが、同一軸線上に形成されている。
【００６９】
前記インキ保溜部材６の表面には、親水処理が施され、それにより、インキ保溜部６１の濡れ性が改質される。前記親水処理は、ペン先支持部６３の表面にも施されている。前記親水処理は、例えば、インキ保溜部６１の表面に界面活性剤や親水性物質の薄い皮膜を形成する構成、インキ保溜部材６の表面にエッチング処理や析出物等で凹凸面を形成する構成、あるいは放射線照射やプラズマ処理等が挙げられる。
【００７０】
前記軸心孔６５には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されている。前記インキ誘導芯７の前端は、ペン先２に接続され、前記インキ誘導芯７の後端は、インキタンク８内と接続される。前記インキ誘導芯７の前端部は、ペン先支持部６３の内面によって、径方向外方に折り曲げられる。前記インキ誘導芯７の前端は、ペン先２の裏面の切り割り２１に、圧接状態で接続されている。
【００７１】
インキタンク８内部には、インキが直に貯溜される。前記インキタンク８は交換可能に構成され、前記インキタンク８内のインキが無くなった場合、新たなインキタンク８と交換される。前記インキタンク８は、前端が開口され且つ後端が閉鎖された有底筒体よりなり、合成樹脂（例えばポリプロピレン）の射出成形により得られる。前記インキタンク８の前端開口部には栓体８１が固着され、それにより、インキタンク８内は密封状態となる。前記密封状態のインキタンク８の前端に前記小径筒部４２を挿入すると、小径筒部４２の後端に形成された突片４２ａにより栓体８１が後方に押圧され、栓体８１がインキタンク８内に外され、インキタンク８が開栓され、インキタンク８内部と、インキ保溜部６１及びインキ誘導芯７とが接続状態となる。このとき、小径筒部４２の外面とインキタンク８の開口部内面とは密嵌状態にある。
【００７２】
本実施例では、前記インキ保溜部材６は、インキタンク８内のインキの色と同一または略同一の色に着色された合成樹脂の成形体からなるため、前記ペン先支持部６３の外面及びインキ色表示部６４の外面は、インキタンク８内のインキの色と同一または略同一の色に着色されている。それにより、本実施例の筆記具１は、ペン先支持部６３の外面及びインキ色表示部６４の外面を外部より視認することにより、軸筒３内部に収容されたインキの色を、試し書きすること無しに、容易に識別することができる。また、本実施例の筆記具１は、ペン先支持部６３の外面及びインキ色表示部６４の外面にインキが滲み出たとしても、滲み出たインキが目立たず、見栄えを損ねることがない。さらに、本実施例の筆記具１は、ペン先２近傍をカラフルなものにし、最近の若者の好みに合った外観性を得ることができる。
【００７３】
（第３実施例）
図５に本発明の筆記具１の第３実施例のペン先２側を示す。
【００７４】
軸筒３の前端部には、先細状（くちばし状）の金属板製のペン先２（いわゆる万年筆ペン体）と、前記ペン先２の先細状の形状に沿って先細状（くちばし状）の合成樹脂製のペン先支持部６３とが前方に突出されている。前記ペン先２は、ステンレス鋼製板のプレス加工体よりなり、その先端には軸方向に延びる切り割り２１が形成される。
【００７５】
また、前記ペン先２の裏面には、ペン先支持部６３が設けられ、該ペン先支持部６３により、ペン先２裏面の大部分が被覆される。また、ペン先支持部６３の基部外面は、前記ペン先２の後部により抱持される。前記切り割り２１を備えたペン先２の前部は、筆記時の筆圧によりペン先支持部６３から離隔する方向に弾性変形可能である。前記ペン先支持部６３は、透明材料により構成され、内部のインキ誘導芯７が外部より視認可能である。［図５（ｂ）及び図５（ｃ）参照］
【００７６】
（全体）
図６に本実施例の筆記具１の全体を示す。
本実施例の筆記具１は、主に、前軸４と後軸５とからなる軸筒３と、前記前軸４内に収容され、前端にペン先２を備えたインキ保溜部材６と、前記後軸５内に収容されるインキタンク８とからなる。
【００７７】
前記前軸４は、円筒状の大径筒部４１と、該大径筒部４１の底壁から後方に一体に連設される円筒状の小径筒部４２と、前記大径筒部４１の底壁より後方に一体に連設され且つ前記小径筒部４２の外周を同心状に包囲するよう配置された円筒状の接続筒部４３と、前記小径筒部４２の後端部に一体に形成されたインキタンク８開栓用の突片４２ａとからなる。前記前軸４は、合成樹脂（例えば、ポリプロピレン）の射出成形により得られる。また、前記接続筒部４３の外面には、雄ネジ部が形成される。
【００７８】
前記後軸５は、前端が開口され且つ後端が閉鎖された有底筒体であり、合成樹脂(例えば、ポリカーボネイト)の射出成形により得られる。前記後軸５の前端開口部の内面には、雌ネジ部が形成される。前記雌ネジ部は、前記前軸４の接続筒部４３の外面の雄ネジ部と螺合可能であり、それにより、前記後軸５の前端部は前軸４の後端部と着脱自在に螺着される。
【００７９】
前記インキ保溜部材６は、インキタンク８内の圧力上昇に応じた余剰インキを一時的に保持する部材である。前記インキ保溜部材６は、複数の櫛歯よりなるインキ保溜部６１(櫛溝部)と、該インキ保溜部６１の後端（即ち後端櫛歯６７後端面）より後方に突出され且つ該インキ保溜部６１の外径より小さい外径を有する縮径筒部６２と、前記インキ保溜部６１の前端より前方に突出されたペン先支持部６３とが、一体に形成された透明性合成樹脂（例えば、ＡＢＳ樹脂）の射出成形体よりなる。また、前記インキ保溜部材６の軸心には、軸方向に延び且つ後端が後方に開口された軸心孔６５が設けられる。前記軸心孔６５にはインキ誘導芯７が挿着される。前記ペン先支持部６３には、金属板製の先細状のペン先２が取り付けられる。
【００８０】
前記インキ保溜部材６は前軸４内に挿着される。即ち、前記インキ保溜部材６のインキ保溜部６１は、前軸４の大径筒部４１内に挿入配置され、前記インキ保溜部材６の縮径筒部６２は、前軸４の小径筒部４２内に挿入配置される。このとき、ペン先２及びペン先支持部６３が前軸４の前端より前方に突出される。また、前記前軸４の前端（即ちインキ保溜部６１の前端）には空気孔６６が開口される。前記空気孔６６によりインキ保溜部６１と外気とが連通される。
【００８１】
前記インキ保溜部６１には、軸方向に延び且つ径方向外方に開口する第１のスリット６１ａが形成される。前記第１のスリット６１ａにより、インキ保溜部６１の櫛歯間が連通される。前記縮径筒部６２の外面には、軸方向に延び且つ径方向外方に開口する第２のスリット６２ａが形成される。前記第２のスリット６２ａは、前端が第１のスリット６１ａと接続され、後端が軸方向後方（即ちインキタンク８内）に開口される。前記第１のスリット６１ａと前記第２のスリット６２ａとが、同一軸線上に形成されている。
【００８２】
前記インキ保溜部材６の表面には、親水処理が施され、それにより、インキ保溜部６１の濡れ性が改質される。前記親水処理は、ペン先支持部６３の表面にも施されている。前記親水処理は、例えば、インキ保溜部６１の表面に界面活性剤や親水性物質の薄い皮膜を形成する構成、インキ保溜部材６の表面にエッチング処理や析出物等で凹凸面を形成する構成、あるいは放射線照射やプラズマ処理等が挙げられる。
【００８３】
前記軸心孔６５には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されている。前記インキ誘導芯７の前端は、ペン先２に接続され、前記インキ誘導芯７の後端は、インキタンク８内と接続される。前記インキ誘導芯７の前端部は、ペン先支持部６３の内面によって、径方向外方に折り曲げられる。前記インキ誘導芯７の前端は、ペン先２の裏面の切り割り２１に、圧接状態で接続されている。
【００８４】
インキタンク８内部には、インキが直に貯溜される。前記インキタンク８は交換可能に構成され、前記インキタンク８内のインキが無くなった場合、新たなインキタンク８と交換される。前記インキタンク８は、前端が開口され且つ後端が閉鎖された有底筒体よりなり、合成樹脂（例えばポリプロピレン）の射出成形により得られる。前記インキタンク８の前端開口部には栓体８１が固着され、それにより、インキタンク８内は密封状態となる。前記密封状態のインキタンク８の前端に前記小径筒部４２を挿入すると、小径筒部４２の後端に形成された突片４２ａにより栓体８１が後方に押圧され、栓体８１がインキタンク８内に外され、インキタンク８が開栓され、インキタンク８内部と、インキ保溜部６１及びインキ誘導芯７とが接続状態となる。このとき、小径筒部４２の外面とインキタンク８の開口部内面とは密嵌状態にある。
【００８５】
本実施例では、前記インキ保溜部材６は、透明材料により構成されるため、前記ペン先支持部６３も透明材料により構成され、ペン先支持部６３を透視して、ペン先支持部６３内部のインキ誘導芯７を外部より視認できる。ペン先支持部６３内部のインキ誘導芯７は、インキが含浸されると、インキ色に着色された状態となり、外部よりインキ色を視認できる。
【００８６】
本実施例の筆記具１は、ペン先支持部６３を透視してインキ誘導芯７を外部より視認することにより、軸筒３内部に収容されたインキの色を、試し書きすること無しに、容易に識別することができる。また、本実施例の筆記具１は、ペン先支持部６３の外面にインキが滲み出たとしても、滲み出たインキが目立たず、見栄えを損ねることがない。さらに、本実施例の筆記具１は、ペン先２近傍をカラフル且つクリスタル調にし、最近の若者の好みに合った外観性を得ることができる。
【００８７】
（第４実施例）
図７に本発明の筆記具１の第４実施例のペン先２側を示す。
【００８８】
軸筒３の前端部には、先細状（くちばし状）の金属板製のペン先２（いわゆる万年筆ペン体）と、前記ペン先２の先細状の形状に沿って先細状（くちばし状）の合成樹脂製のペン先支持部６３とが前方に突出されている。前記ペン先２は、ステンレス鋼製板のプレス加工体よりなり、その先端には軸方向に延びる切り割り２１が形成される。前記ペン先２の表面は外部に露出されている。
【００８９】
また、前記ペン先２の裏面には、ペン先支持部６３が設けられ、該ペン先支持部６３により、ペン先２裏面の大部分が被覆される［図１（ｂ）参照］。また、ペン先支持部６３の基部外面は、前記ペン先２の後部により抱持される。前記切り割り２１を備えたペン先２の前部は、筆記時の筆圧によりペン先支持部６３から離隔する方向に弾性変形可能である。前記ペン先支持部６３は、インキ色と同一または略同一の色に着色された合成樹脂成形体よりなる。前記ペン先支持部６３の外面は、外部より視認可能である。ペン先２を側面から見たとき［図１（ｃ）参照］、ペン先支持部６３の露出面積は、ペン先２の露出面積よりも大きく設定される。
【００９０】
前記ペン先２の切り割り２１の後方には、窓孔２２が貫設される。本実施例では、前記窓孔２２は、円形状を有するが、これ以外にも、３角形、４角形、楕円、ハート型、星型等、いずれであってもよい。前記窓孔２２は、プレス加工の打ち抜きにより形成される。前記窓孔２２を通して、インキ色に着色されたペン先支持部６３及びインキ色に着色されたインキ誘導芯７が、ペン先２表面から露出され、外部より視認可能である。また、前記
窓孔２２は、切り割り２１と連通されていてもよく、その場合の前記窓孔２２は、毛細管力によりインキが保持されない大きさに設定される。
【００９１】
（全体）
図８に本実施例の筆記具１の全体を示す。
本実施例の筆記具１は、主に、前軸４と後軸５とからなる軸筒３と、前記前軸４内に収容され、前端にペン先２を備えたインキ保溜部材６と、前記後軸５内に収容されるインキタンク８とからなる。
【００９２】
前記前軸４は、円筒状の大径筒部４１と、該大径筒部４１の底壁から後方に一体に連設される円筒状の小径筒部４２と、前記大径筒部４１の底壁より後方に一体に連設され且つ前記小径筒部４２の外周を同心状に包囲するよう配置された円筒状の接続筒部４３と、前記小径筒部４２の後端部に一体に形成されたインキタンク８開栓用の突片４２ａとからなる。前記前軸４は、合成樹脂（例えば、ポリプロピレン）の射出成形により得られる。また、前記接続筒部４３の外面には、雄ネジ部が形成される。
【００９３】
前記後軸５は、前端が開口され且つ後端が閉鎖された有底筒体であり、合成樹脂(例えば、ポリカーボネイト)の射出成形により得られる。前記後軸５の前端開口部の内面には、雌ネジ部が形成される。前記雌ネジ部は、前記前軸４の接続筒部４３の外面の雄ネジ部と螺合可能であり、それにより、前記後軸５の前端部は前軸４の後端部と着脱自在に螺着される。
【００９４】
前記インキ保溜部材６は、インキタンク８内の圧力上昇に応じた余剰インキを一時的に保持する部材である。前記インキ保溜部材６は、複数の櫛歯よりなるインキ保溜部６１(櫛溝部)と、該インキ保溜部６１の後端（即ち後端櫛歯６７後端面）より後方に突出され且つ該インキ保溜部６１の外径より小さい外径を有する縮径筒部６２と、前記インキ保溜部６１の前端より前方に突出されたペン先支持部６３とが、一体に形成された合成樹脂（例えば、ＡＢＳ樹脂）の射出成形体よりなる。また、前記インキ保溜部材６の軸心には、軸方向に延び且つ後端が後方に開口された軸心孔６５が設けられる。前記軸心孔６５にはインキ誘導芯７が挿着される。前記ペン先支持部６３には、金属板製の先細状のペン先２が取り付けられる。
【００９５】
前記インキ保溜部材６は前軸４内に挿着される。即ち、前記インキ保溜部材６のインキ保溜部６１は、前軸４の大径筒部４１内に挿入配置され、前記インキ保溜部材６の縮径筒部６２は、前軸４の小径筒部４２内に挿入配置される。このとき、ペン先２及びペン先支持部６３が前軸４の前端より前方に突出される。また、前記前軸４の前端（即ちインキ保溜部６１の前端）には空気孔６６が開口される。前記空気孔６６によりインキ保溜部６１と外気とが連通される。
【００９６】
前記インキ保溜部６１には、軸方向に延び且つ径方向外方に開口する第１のスリット６１ａが形成される。前記第１のスリット６１ａにより、インキ保溜部６１の櫛歯間が連通される。前記縮径筒部６２の外面には、軸方向に延び且つ径方向外方に開口する第２のスリット６２ａが形成される。前記第２のスリット６２ａは、前端が第１のスリット６１ａと接続され、後端が軸方向後方（即ちインキタンク８内）に開口される。前記第１のスリット６１ａと前記第２のスリット６２ａとが、同一軸線上に形成されている。
【００９７】
前記インキ保溜部材６の表面には、親水処理が施され、それにより、インキ保溜部６１の濡れ性が改質される。前記親水処理は、ペン先支持部６３の外面及び内面にも施されている。前記親水処理は、例えば、インキ保溜部６１の表面に界面活性剤や親水性物質の薄い皮膜を形成する構成、インキ保溜部材６の表面にエッチング処理や析出物等で凹凸面を形成する構成、あるいは放射線照射やプラズマ処理等が挙げられる。
【００９８】
前記軸心孔６５には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されている。前記インキ誘導芯７の前端は、ペン先２に接続され、前記インキ誘導芯７の後端は、インキタンク８内と接続される。前記インキ誘導芯７の前端部は、ペン先支持部６３の内面によって、径方向外方に折り曲げられる。前記インキ誘導芯７の前端は、ペン先２の裏面の切り割り２１に、圧接状態で接続されている。
【００９９】
インキタンク８内部には、インキが直に貯溜される。前記インキタンク８は交換可能に構成され、前記インキタンク８内のインキが無くなった場合、新たなインキタンク８と交換される。前記インキタンク８は、前端が開口され且つ後端が閉鎖された有底筒体よりなり、合成樹脂（例えばポリプロピレン）の射出成形により得られる。前記インキタンク８の前端開口部には栓体８１が固着され、それにより、インキタンク８内は密封状態となる。前記密封状態のインキタンク８の前端に前記小径筒部４２を挿入すると、小径筒部４２の後端に形成された突片４２ａにより栓体８１が後方に押圧され、栓体８１がインキタンク８内に外され、インキタンク８が開栓され、インキタンク８内部と、インキ保溜部６１及びインキ誘導芯７とが接続状態となる。このとき、小径筒部４２の外面とインキタンク８の開口部内面とは密嵌状態にある。
【０１００】
本実施例では、前記インキ保溜部材６は、インキタンク８内のインキの色と同一または略同一の色に着色された合成樹脂の成形体からなるため、前記ペン先支持部６３の外面および内面は、インキタンク８内のインキの色と同一または略同一の色に着色されている。それにより、本実施例の筆記具１は、ペン先支持部６３の外面を外部より視認すること、及び窓孔２２を通してペン先支持部６３内面とインキ誘導芯７とを外部より視認することにより、軸筒３内部に収容されたインキの色を、試し書きすること無しに、容易に識別することができる。また、本実施例の筆記具１は、ペン先支持部６３の外面及び内面にインキが滲み出たとしても、滲み出たインキが目立たず、見栄えを損ねることがない。さらに、本実施例の筆記具１は、ペン先２近傍をカラフルなものにし、最近の若者の好みに合った外観性を得ることができる。
【図面の簡単な説明】
【０１０１】
【図１】本発明の第１実施例のペン先側を示すものであり、（ａ）がペン先表面を示し、（ｂ）がペン先裏面を示し、（ｃ）がペン先側面を示す。
【図２】図１の全体を示す縦断面図である。
【図３】本発明の第２実施例のペン先側を示すものであり、（ａ）がペン先表面を示し、（ｂ）がペン先裏面を示し、（ｃ）がペン先側面を示す。
【図４】図３の全体を示す縦断面図である。
【図５】本発明の第３実施例のペン先側を示すものであり、（ａ）がペン先表面を示し、（ｂ）がペン先裏面を示し、（ｃ）がペン先側面を示す。
【図６】図５の全体を示す縦断面図である。
【図７】本発明の第４実施例のペン先側を示すものであり、（ａ）がペン先表面を示し、（ｂ）がペン先裏面を示し、（ｃ）がペン先側面を示す。
【図８】図７の全体を示す縦断面図である。
【符号の説明】
【０１０２】
１  筆記具
２  ペン先
２１  切り割り
２２  窓孔
３  軸筒
４  前軸
４１  大径筒部
４２  小径筒部
４２ａ  突片
４３  接続筒部
５  後軸
６  インキ保溜部材
６１  インキ保溜部
６１ａ  第１のスリット
６２  縮径筒部
６２ａ  第２のスリット
６３  ペン先支持部
６４  インキ色表示部
６５  軸心孔
６６  空気孔
６７  後端櫛歯
７  インキ誘導芯（インキ誘導部）
８  インキタンク
８１  栓体
【図１】
2006248114.tif 000003
【図２】
2006248114.tif 000004
【図３】
2006248114.tif 000005
【図４】
2006248114.tif 000006
【図５】
2006248114.tif 000007
【図６】
2006248114.tif 000008
【図７】
2006248114.tif 000009
【図８】
2006248114.tif 000010